(57)【要約】【課題】新聞紙などの紙類を簡易に梱包することができる紙類梱包用具を提供する。【解決手段】紙類梱包用具１０は、底面板１１と第１の側面板１２と第２の側面板１３と背面板１４を有し、第１の部材Ｂ１から第９の部材Ｂ９及びスリットＳに紐Ｈが留め置かれるように形成されている。紙類梱包用具１０の内部に新聞紙Ｐが配置された状態で、第１の部材Ｂ１から第９の部材Ｂ９に留め置かれている紐Ｈが、順次、解放され、この解放された第１の部材Ｂ１から第４の部材Ｂ４の紐Ｈの部分が、第５の部材Ｂ５と第９の部材Ｂ９の紐Ｈの部分に絡まされるようにして、スリットＳから引き出された紐Ｈの部分と引っ張り合い絞るようにして結ばれ、新聞紙Ｐが梱包される。【選択図】図１
2019199308.tif 000002
【特許請求の範囲】
【請求項１】
紙類が内部に配置されるように底面板と第１の側面板と第２の側面板と背面板を有し、前記紙類が、紐を用いて梱包されるように形成されている紙類梱包用具であって、
前記紐を留め置くように形成されている、
前記背面板の内側に設けられた第１の部材と、
前記第１の部材に隣接する前記背面板の内側に設けられた第２の部材と、
前記第１の側面板の内側の上方中央部に設けられた第３の部材と、
前記第３の部材の下方の前記第１の側面板に設けられた第１の開口部の位置における前記底面板に設けられた第４の部材と、
前記第２の側面板に設けられた第２の開口部の位置における前記底面板に設けられた第５の部材と、
前記第５の部材の上方の前記第２の側面板の内側の中央部分に設けられた第６の部材と、
前記背面板の内側に設けられた第７の部材と、
前記第７の部材に隣接する前記背面板の内側に設けられた第８の部材と、
前記第８の部材の下方の前記背面板に設けられた第３の開口部の位置における前記底面板の後方に設けられた第９の部材と、
前記底面板の前方に設けられたスリットと、
を有することを特徴とする紙類梱包用具。
【請求項２】
前記紐の先端部分が、前記第１の部材に引っかけられるように留め置かれ、順次、前記紐が、前記第２の部材から前記第９の部材及び前記スリットに留め置かれている状態において、前記紙類が前記内部に配置され、前記配置された紙類を梱包しようとする場合に、
前記留め置かれている紐が、順次、前記第１の部材から前記第９の部材まで解放され、
前記第１の部材から前記第３の部材の間で解放された紐の部分が、前記第５の部材と前記第９の部材の間で解放された紐の部分と絡まされて、前記スリットから引き出された紐の部分と結ばれることで、前記紙類が梱包されることを特徴とする請求項１に記載の紙類梱包用具。
【請求項３】
前記第４の部材、前記第５の部材及び前記第９の部材は、ドアキャッチの本体またはスリットを用いており、
前記紐が、前記ドアキャッチ本体またはスリットに挟み込まれた状態から引っ張られることで、前記本体から外れるように構成されていることを特徴とする請求項２に記載の紙類梱包用具。
【請求項４】
前記紐は、球状の荷造り紐が用いられており、
前記背面板の上部を支点として開閉自在になるよう設けられた上面板と、
前記底面板の下側に設けられた前記球状の荷造り紐を収納する紐収納部と、前記紐収納部の下側に設けられた新聞紙収納部と、
前記新聞紙収納部の下部を支点として開閉自在になるように設けられ、前記ドアキャッチで開閉するように形成された前面板と、を有し、
前記上面板と前記前面板の間には、それぞれが開閉するように、空間が設けられていることを特徴とする請求項３に記載の紙類梱包用具。
【発明の詳細な説明】
【技術分野】
【０００１】
本発明は、紙類梱包用具に関する。
【背景技術】
【０００２】
家庭において日々配達される新聞紙などの紙類を折り畳むなどして一定量を一括して紐をかけて梱包することが一般的に行われており、市販の球状の荷造りひもを切らずに新聞紙を梱包するものが開示されている（特許文献参照）。
【先行技術文献】
【特許文献】
【０００３】
【特許文献１】特開２００５−１６２３２５号公報
【発明の概要】
【発明が解決しようとする課題】
【０００４】
しかし、上記の新聞紙などの紙類を折り畳むなどして一定量を一括して紐をかけて梱包することは、煩わしく、簡易に梱包できるものが求められていた。
【０００５】
本発明は、こうした点に鑑みてなされたものであり、新聞紙などの紙類を簡易に梱包することができる紙類梱包用具を提供することである。
【課題を解決するための手段】
【０００６】
上記課題を解決するために、本発明に係る紙類梱包用具は、紙類が内部に配置されるように底面板と第１の側面板と第２の側面板と背面板を有し、前記紙類が、紐を用いて梱包されるように形成されている紙類梱包用具であって、前記紐を留め置くように形成されている、前記背面板の内側に設けられた第１の部材と、前記第１の部材に隣接する前記背面板の内側に設けられた第２の部材と、前記第１の側面板の内側の上方中央部に設けられた第３の部材と、前記第３の部材の下方の前記第１の側面板に設けられた第１の開口部の位置における前記底面板に設けられた第４の部材と、前記第２の側面板に設けられた第２の開口部の位置における前記底面板に設けられた第５の部材と、前記第５の部材の上方の前記第２の側面板の内側の中央部分に設けられた第６の部材と、前記背面板の内側に設けられた第７の部材と、前記第７の部材に隣接する前記背面板の内側に設けられた第８の部材と、前記第８の部材の下方の前記背面板に設けられた第３の開口部の位置における前記底面板の後方に設けられた第９の部材と、前記底面板の前方に設けられたスリットと、を有することを特徴とする。
【０００７】
本発明に係る紙類梱包用具の態様について、前記紐の先端部分が、前記第１の部材に引っかけられるように留め置かれ、順次、前記紐が、前記第２の部材から前記第９の部材及び前記スリットに留め置かれている状態において、前記紙類が前記内部に配置され、前記配置された紙類を梱包しようとする場合に、前記留め置かれている紐が、順次、前記第１の部材から前記第９の部材まで解放され、前記第１の部材から前記第３の部材の間で解放された紐の部分が、前記第５の部材と前記第９の部材の間で解放された紐の部分と絡まされて、前記スリットから引き出された紐の部分と結ばれることで、前記紙類が梱包されることが好ましい。
【０００８】
本発明に係る紙類梱包用具の態様について、前記第４の部材、前記第５の部材及び前記第９の部材は、ドアキャッチの本体またはスリットを用いており、前記紐が、前記ドアキャッチ本体またはスリットに挟み込まれた状態から引っ張られることで、前記本体から外れるように構成されていることが好ましい。
【０００９】
本発明に係る紙類梱包用具の態様について、前記紐は、球状の荷造り紐が用いられており、前記背面板の上部を支点として開閉自在になるよう設けられた上面板と、前記底面板の下側に設けられた前記球状の荷造り紐を収納する紐収納部と、前記紐収納部の下側に設けられた新聞紙収納部と、前記新聞紙収納部の下部を支点として開閉自在になるように設けられ、前記ドアキャッチで開閉するように形成された前面板と、を有し、前記上面板と前記前面板の間には、それぞれが開閉するように、空間が設けられていることが好ましい。
【発明の効果】
【００１０】
本発明によれば、新聞紙などの紙類を簡易に梱包することができる紙類梱包用具を提供することができる。
【図面の簡単な説明】
【００１１】
【図１】上面板と前面板が開かれた状態の紙類梱包用具の一例を示す模式図である。
【図２】上面板と前面板が閉じられた状態の紙類梱包用具の一例を前面方向から見た模式図である。
【図３】上面板と前面板が閉じられた状態の紙類梱包用具の一例を背面方向から見た模式図である。
【図４】実施形態の紙類梱包用具を用いて新聞紙を梱包する一例を示す参考図である。
【発明を実施するための形態】
【００１２】
以下、本発明の実施形態である紙類梱包用具１０を、図１から図４を用いて説明する。なお、実施形態の紙類梱包用具１０は、紙類として新聞紙を対象としているが、これに限定されず、本、カタログなどの紙類を梱包するように構成されるものである。
【００１３】
紙類梱包用具１０は、紙類の一例である新聞紙Ｐが内部に配置されるように底面板１１と第１の側面板１２と第２の側面板１３と背面板１４を有している。すなわち、紙類梱包用具１０の基本構成は、上記の４面に囲まれた箱型の容器であり、新聞紙Ｐが、紐Ｈを用いて梱包されるように形成されている。以下、この基本構成について説明する。
【００１４】
紙類梱包用具１０は、上記のとおり新聞紙Ｐが、紐Ｈを用いて梱包されるように形成されており、紙類梱包用具１０の内部に紐Ｈを留めて置く複数の部材などが設けられている。
【００１５】
上記の複数の部材は、背面板１４の内側に設けられた第１の部材Ｂ１と、第１の部材Ｂ１に隣接する背面板１４の内側に設けられた第２の部材Ｂ２と、第１の側面板１２の内側の上方中央部に設けられた第３の部材Ｂ３と、第３の部材Ｂ３の下方の第１の側面板１２に設けられた第１の開口部１２ａの位置における底面板１１に設けられた第４の部材Ｂ４と、第２の側面板１３に設けられた第２の開口部１３ａの位置における底面板１１に設けられた第５の部材Ｂ５と、第５の部材Ｂ５の上方の第２の側面板１３の内側に設けられた第６の部材Ｂ６と、背面板１４の内側に設けられた第７の部材Ｂ７と、第７の部材Ｂ７に隣接し背面板１４の内側の上方中央部分に設けられた第８の部材Ｂ８と、第８の部材Ｂ８の下方の背面板１４に設けられた第３の開口部１４ａの位置における底面板１１の後方に設けられた第９の部材Ｂ９である。また、背面板１４の前方の中央部分に、スリットＳが設けられている。なお、第１の部材Ｂ１と第２の部材Ｂ２は一体的に形成されてもよく、また、第７の部材Ｂ７と第８の部材Ｂ８は一体的に形成されてもよい。さらに、第１の部材Ｂ１と第２の部材Ｂ２と第３の部材は一体的に形成されてもよく、また、第６の部材Ｂ６と第７の部材Ｂ７と第８の部材Ｂ８は一体的に形成されてもよい。
【００１６】
次に、上記の部材などを有する紙類梱包用具１０における新聞紙Ｐの梱包の一例について説明する。紐Ｈの先端部分が、第１の部材Ｂ１に引っかけられるように留め置かれ、順次、紐Ｈが、第２の部材Ｂ２から第９の部材Ｂ９及びスリットＳに留め置かれている状態において、新聞紙Ｐが紙類梱包用具１０の内部に配置され、この配置された新聞紙Ｐが梱包される場合に、上記の内部に留め置かれている紐Ｈが、順次、第１の部材Ｂ１から第９の部材Ｂ９まで、解放され、この解放された第１の部材Ｂ１から第３の部材Ｂ３の紐Ｈの部分が、第５の部材Ｂ５と第９の部材Ｂ９の間の紐Ｈに絡まされるようにし、そして、スリットＳから引き出された紐Ｈの部分と結ばれ、この新聞紙Ｐが梱包されることになる。また、具体的な一例として参考図としての図４に示すように、第５の部材Ｂ５，第６の部材Ｂ６，第７の部材Ｂ７，第８の部材Ｂ８，第９の部材Ｂ９から開放された紐の部分の下を、第１の部材Ｂ１，第２の部材Ｂ２，第３の部材Ｂ３，第４の部材Ｂ４から解放された紐の部分の先端を潜らせ、スリットＳから開放された紐の部分と引っ張り合い絞って結ぶ。このように、紙類梱包用具１０を用いた新聞紙Ｐの梱包は、非常に簡単で、正確にできるものである。
【００１７】
また、第４の部材Ｂ４、第５の部材Ｂ５及び第９の部材Ｂ９は、ドアキャッチの本体を用いてもよい。紐Ｈが、ドアキャッチ本体に挟み込まれた状態から引っ張られることで、この本体から簡単に外れるようにすることができる。すなわち、ドアキャッチの本体を部材として用いることで、引っ張るだけで紐Ｈを解放することができる。
【００１８】
また、第４の部材Ｂ４、第５の部材Ｂ５及び第９の部材Ｂ９は、スリットを形成することで、これらの部材の代わりにしてもよい。このようにすることで、紐Ｈが、これらのスリットに挟み込まれた状態から引っ張られ、簡単に外れるような構成にすることができる。すなわち、スリットを用いることで、引っ張るだけで紐Ｈを解放することができる。
【００１９】
紐Ｈは、球状の荷造り用であってもよく、また、紙類梱包用具１０は、背面板１４の上部を支点として開閉自在になるよう設けられた上面板１５を設けてもよい。そして、底面板１１の下側に設けられた球状の荷造り用の紐Ｈを収納する紐収納部２０及び紐収納部２０の下側に設けられた新聞紙収納部３０を設けてもよい。
【００２０】
また、新聞紙収納部３０の下部を支点として開閉自在になるように設けられ、ドアキャッチで開閉するように形成された前面板１６を設けてもよい。上面板１５と前面板１６の間には、それぞれが開閉できるように、図２に示す空間Ｋを設けてもよい。この空間Ｋを有することにより、開閉を容易にする取手とすることができ、また、閉じられた状態において、空間Ｋを介して新聞紙Ｐを内部に簡単に収納することができる。
【００２１】
上記の特徴を有する紙類梱包用具１０は、家庭内の新聞紙などの紙類を、球状の荷造り紐などを用いて簡易に梱包できるように構成されており、下段に新聞紙などの紙類を整理するための収納部が設けられ、中段に球状の荷造り紐を収納する収納部を設けた構成にすることで、家具としても使い易いものとなっている。
【００２２】
以上、本発明の有する特徴及び優れた点を上記実施形態に記載したが、本発明は、本願の特許請求の範囲で使用されている言葉を広く一般的な意味に拡張して実施することができる。
【００２３】
また、本発明の紙類梱包用具は、大きさや形状、素材の種類、厚さ、重さなどについては多様な実施形態が可能であり、それらについて本実施形態と異なる形態による実施は、本発明の技術的範囲に含まれる。
【符号の説明】
【００２４】
１０    紙類梱包用具
１１    底面板
１２    第１の側面板
１２ａ  第１の開口部
１３    第２の側面板
１３ａ  第２の開口部
１４    背面板
１４ａ  第３の開口部
１５    上面板
１６    前面板
２０    紐収納部
３０    新聞紙収納部
Ｂ１    第１の部材
Ｂ２    第２の部材
Ｂ３    第３の部材
Ｂ４    第４の部材
Ｂ５    第５の部材
Ｂ６    第６の部材
Ｂ７    第７の部材
Ｂ８    第８の部材
Ｂ９    第９の部材
Ｓ      スリット
Ｈ      紐
Ｐ      新聞紙
Ｋ      空間
【図１】
2019199308.tif 000003
【図２】
2019199308.tif 000004
【図３】
2019199308.tif 000005
【図４】
2019199308.tif 000006